(57)【要約】【課題】模型歯の正しい部分に正しい順番で適切にワックスを盛り付けることができ、規範的な歯冠形態を得るための術式を早期に習得できるワックスアップ習得方法および習得システムを提供する。【解決手段】ワックスアップの基台となる模型歯２に、ワックスを複数の工程に分けて盛り付け、歯冠形態を成形するワックスアップの習得方法であって、模型歯２の上方に配置されたプロジェクター３から、模型歯２に、各工程ごとにワックスを盛り付ける部分の位置を示す映像を投影し、投影された映像に基づいて模型歯２にワックスを各工程ごとに盛り付けるようにした。各工程ごとに、模型歯２にワックスアップすべき部分をプロジェクションマッピングしたので、模型歯２の正しい部分に正しい順番で適切にワックスを盛り付けることができる。【選択図】図３
2017148245.tif 000002
【特許請求の範囲】
【請求項１】
ワックスアップの基台となる模型歯に、ワックスを複数の工程に分けて盛り付け、歯冠形態を成形するワックスアップの習得方法であって、
前記模型歯の上方に配置されたプロジェクターから、前記模型歯に、前記工程ごとにワックスを盛り付ける部分の位置を示す映像を投影し、投影された映像に基づいて前記模型歯にワックスを前記工程ごとに盛り付けるようにした、ことを特徴とするワックスアップ習得方法。
【請求項２】
前記ワックスが盛り付けられる模型歯の頂面をフラットに形成し、その頂面に前記プロジェクターから映像を投影する、ことを特徴とする請求項１に記載のワックスアップ習得方法。
【請求項３】
前記模型歯にワックスを盛り付ける最初の工程のとき、前記模型歯の頂面に、前記プロジェクターから、咬頭頂の位置を示す映像を投影する、ことを特徴とする請求項２に記載のワックスアップ習得方法。
【請求項４】
前記模型歯にワックスを複数の段階に分けて盛り付ける工程の夫々において、前記プロジェクターから前記模型歯に、ワックスを盛り付ける部分の位置を示す映像と共にリファレンスポイントの映像を投影し、
最初の工程にて、前記模型歯に投影された前記リファレンスポイントの映像の位置をマーキングすることで前記模型歯に基準ポイントを印記し、
以降の各工程にて、前記プロジェクターから前記模型歯に投影されるリファレンスポイントの映像を前記基準ポイントに合わせるようにした、ことを特徴とする請求項１から３の何れか１項に記載のワックスアップ習得方法。
【請求項５】
前記模型歯にワックスを複数の段階に分けて盛り付ける工程の夫々において、前記ワックスの色を異ならせるようにした、ことを特徴とする請求項１から４の何れか１項に記載のワックスアップ習得方法。
【請求項６】
ワックスアップの基台となる模型歯に、ワックスを複数の工程に分けて盛り付け、歯冠形態を成形するワックスアップの習得システムであって、
ワックスが盛り付けられる基台となる模型歯と、
前記模型歯の上方に配置され、前記模型歯に、前記工程ごとにワックスを盛り付ける部分の位置を示す映像を投影するプロジェクターとを備えた、ことを特徴とするワックスアップ習得システム。
【請求項７】
前記模型歯は、ワックスが盛り付けられる頂面がフラットに形成され、
前記プロジェクターは、前記頂面に前記映像を投影するものである、ことを特徴とする請求項６に記載のワックスアップ習得システム。
【請求項８】
前記プロジェクターは、前記模型歯にワックスを盛り付ける最初の工程のとき、前記模型歯の頂面に咬頭頂の位置を示す映像を投影するものである、ことを特徴とする請求項７に記載のワックスアップ習得方法。
【請求項９】
前記プロジェクターは、前記プロジェクターから前記模型歯に、前記工程の夫々において、前記ワックスを盛り付ける部分の位置を示す映像と共にリファレンスポイントの映像を投影するものである、ことを特徴とする請求項６から８の何れか１項に記載のワックスアップ習得システム。
【発明の詳細な説明】
【技術分野】
【０００１】
本発明は、基台となる模型歯にワックスを盛り付けて歯冠形態を形成するワックスアップの習得方法および習得システムに係り、特に、規範的な歯冠形態を得るための術式を早期に取得できるワックスアップの習得方法および習得システムに関する。
【背景技術】
【０００２】
歯科医療の分野において、ワックスアップとは、基台となる模型歯にワックスを盛り付けて実際の歯冠形態を形成する作業をいう。適切なワックスアップを行うには、模型歯の適切な箇所に、適切な順番でワックスを盛り付け、ワックスを段階的に盛り上げることで、規範的な歯冠形態に近付けていく。従来、歯科学生（歯科実習者）は、各段階ごとにワックスアップされた模型歯やその写真を見てワックスアップの実習を行い、規範的な歯冠形態のワックスアップを習得していた。
【先行技術文献】
【特許文献】
【０００３】
【特許文献１】特開２００６−１７５２０５号公報
【発明の概要】
【発明が解決しようとする課題】
【０００４】
しかし、実際に歯科学生（歯科実習者）が模型歯や写真を見ながらワックスアップの実習を行うと、模型歯の誤った場所に誤った順番でワックスを盛り付けてしまい、規範的な歯冠形態のワックスアップができない実習者も見受けられる。また、その修正は、指導者（講師）が口頭や図示に基づいて行っているため、指導者の説明能力に依存せざるを得ず、個人差が生じる。よって、歯科実習者が、適切なワックスアップの術式を習得するためには、予想以上に長い期間が必要となるケースも存在する。
【０００５】
なお、特許文献１には、評価対象となるワックスアップ歯を三次元的に計測し、モデルとなるワックスアップ歯との誤差を積算して評価することで、歯科実習者を指導する発明が記載されている。しかし、文献１に記載された発明は、完成したワックスアップ歯の精度を評価するものであり、規範的な歯冠形態を得るためのワックスアップの術式を実習者に習得させる本発明とは前提が全く相違する。
【０００６】
以上の事情を考慮して創案された本発明の目的は、模型歯の正しい部分に正しい順番で適切にワックスを盛り付けることができ、規範的な歯冠形態を得るための術式を早期に習得できるワックスアップ習得方法および習得システムを提供することにある。
【課題を解決するための手段】
【０００７】
上記目的を達成すべく創案された本発明によれば、ワックスアップの基台となる模型歯に、ワックスを複数の工程に分けて盛り付け、歯冠形態を成形するワックスアップの習得方法であって、模型歯の上方に配置されたプロジェクターから、模型歯に、各工程ごとにワックスを盛り付ける部分の位置を示す映像を投影し、投影された映像に基づいて模型歯にワックスを工程ごとに盛り付けるようにした、ことを特徴とするワックスアップ習得方法が提供される。
【０００８】
上記ワックスアップ習得方法において、ワックスが盛り付けられる模型歯の頂面をフラットに形成し、その頂面にプロジェクターから映像を投影するようにしてもよい。
【０００９】
上記ワックスアップ習得方法において、模型歯にワックスを盛り付ける最初の工程のとき、模型歯の頂面に、プロジェクターから、咬頭頂の位置を示す映像を投影するようにしてもよい。
【００１０】
上記ワックスアップ習得方法において、模型歯にワックスを複数の段階に分けて盛り付ける各工程の夫々にて、プロジェクターから模型歯に、ワックスを盛り付ける部分の位置を示す映像と共にリファレンスポイントの映像を投影し、最初の工程にて、模型歯に投影されたリファレンスポイントの映像の位置をマーキングすることで模型歯に基準ポイントを印記し、以降の各工程にて、プロジェクターから模型歯に投影されるリファレンスポイントの映像を基準ポイントに合わせるようにしてもよい。
【００１１】
上記ワックスアップ習得方法において、模型歯にワックスを複数の段階に分けて盛り付ける各工程の夫々にて、ワックスの色を異ならせるようにしてもよい。
【００１２】
また、本発明によれば、ワックスアップの基台となる模型歯に、ワックスを複数の工程に分けて盛り付け、歯冠形態を成形するワックスアップの習得システムであって、ワックスが盛り付けられる基台となる模型歯と、模型歯の上方に配置され、模型歯に、工程ごとにワックスを盛り付ける部分の位置を示す映像を投影するプロジェクターとを備えた、ことを特徴とするワックスアップ習得システムが提供される。
【００１３】
上記ワックスアップ習得システムにおいて、模型歯は、ワックスが盛り付けられる頂面がフラットに形成され、プロジェクターは、模型歯の頂面に映像を投影するものであってもよい。
【００１４】
上記ワックスアップ習得システムにおいて、プロジェクターは、模型歯にワックスを盛り付ける最初の工程のとき、模型歯の頂面に咬頭頂の位置を示す映像を投影するものであってもよい。
【００１５】
上記ワックスアップ習得システムにおいて、プロジェクターは、プロジェクターから模型歯に、各工程の夫々において、ワックスを盛り付ける部分の位置を示す映像と共にリファレンスポイントの映像を投影するものであってもよい。
【発明の効果】
【００１６】
本発明に係るワックスアップ習得方法および習得システムによれば、模型歯にワックスを複数の工程に分けて段階的に盛り付けるに際して、模型歯の上方に配置されたプロジェクターから模型歯に、各工程ごとに、ワックスを盛り付ける部分の位置を示す映像を投影し、模型歯にワックスアップすべき部分をプロジェクションマッピングしたので、模型歯の正しい部分に正しい順番で適切にワックスを盛り付けることができ、規範的な歯冠形態を得るためのワックスアップの術式を早期に習得できる。
【図面の簡単な説明】
【００１７】
【図１】本発明の一実施形態に係るワックスアップ習得方法および習得システムにおいて、プロジェクションマッピングに用いる投影用の画像を得るための投影用模型の平面図であり、（ａ）は咬頭頂を示し、（ｂ）は辺縁隆線を示し、（ｃ）は隆線を示し、（ｄ）は副隆線を示す。
【図２】上記ワックスアップ習得方法および習得システムにおいて、模型歯を表す説明図であり、（ａ）は平面図、（ｂ）は斜視図である。
【図３】上記ワックスアップ習得方法および習得システムにおいて、プロジェクターから模型歯に映像を投影する様子を示す説明図である。
【図４】上記ワックスアップ習得方法および習得システムにおいて、模型歯に投影された映像をマーキングする様子を示す説明図である。
【図５】上記ワックスアップ習得方法および習得システムにおいて、模型歯にワックスアップする様子を示す説明図であり、（ａ）は第１工程として咬頭頂をワックスアップする様子、（ｂ）は第２工程として辺縁隆線をワックスアップする様子を示す。
【図６】上記ワックスアップ習得方法および習得システムにおいて、模型歯にワックスアップする様子を示す説明図であり、（ｃ）は第３工程として隆線をワックスアップする様子、（ｄ）は副隆線をワックスアップする様子を示す。
【発明を実施するための形態】
【００１８】
以下に添付図面を参照しながら、本発明の好適な実施形態について詳細に説明する。係る実施形態に示す寸法、材料、その他具体的な数値等は、発明の理解を容易にするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１９】
（ワックスアップ習得システム１の概要）
本発明の一実施形態に係るワックスアップ習得システムの概要を図１〜図３を用いて説明する。図３に示すように、本実施形態に係るワックスアップ習得システム１は、ワックスアップの基台となる模型歯２に、ワックスを複数の工程に分けて盛り付け、歯冠形態を成形するワックスアップの習得に用いられるものであって、ワックスが盛り付けられる基台となる模型歯２と、模型歯２の上方に配置され、模型歯２に、工程ごとにワックスを盛り付ける部分の位置を示す映像を投影するプロジェクター３とを備えている。以下、本システム１の構成要素を説明する。
【００２０】
（模型歯２）
図２（ａ）、図２（ｂ）に示すように、模型歯２は、基台２ａと、基台２ａに取り付けられた模型歯列４とから成る。模型歯列４は、本実施形態では、前歯列（中切歯、側切歯、犬歯）４Ｆと、左歯列（第１小臼歯、第２小臼歯、第１大臼歯、第２大臼歯）４Ｌと、右歯列（第１小臼歯、第２小臼歯、第１大臼歯、第２大臼歯）４Ｒとから構成されており、夫々、基台２ａに対して上方に着脱自在となっている。なお、模型歯列４は、上述のようにＵ字状の全歯列を３分割した構成に限られず、任意の１歯ないしは連なった複数歯から構成されていてもよい。
【００２１】
本実施形態では、左歯列４Ｌおよび右歯列４Ｒに、ワックスが盛り付けられ、ワックスアップが施される。左歯列４Ｌおよび右歯列４Ｒの各歯は、歯冠が通常高さの略１／２にトリミングされて頂面５がフラットに成形されており、その頂面５にワックスアップが施される。各歯の頂面５の高さは側方から見て揃っている。これにより、図３に示すように、プロジェクター３から模型歯２に映像を投影したとき、各頂面５においてワックスを盛り付ける部分の位置を示す映像のピントを合わせられる。なお、前歯列４Ｆにワックスアップを施す場合には、前歯列４Ｆの各歯に同様のフラット加工が施され、任意の１歯ないしは複数歯にワックスアップを施す場合には、その歯に同様のフラット加工が施される。
【００２２】
模型歯列４は、石膏から製造されており、各歯の頂面５が白色となっている。このため、図３に示すように、プロジェクター３から模型歯２に映像を投影すると、模型歯列４の歯の頂面５に投影された映像は、フラットな白色の投影面（頂面５）に写されることになり、見易くなる。なお、模型歯列４の材質は、石膏に限られず、樹脂などであってもよい。この場合も、各歯の頂面５を白色とすることが好ましい。なお、模型歯２は、図２（ａ）および図２（ｂ）に示す下顎の歯に限られず、上顎の歯でもよいことは勿論である。
【００２３】
（プロジェクター３）
図３、図４に示すように、プロジェクター３は、模型歯２の上方に配置され、模型歯２に、ワックスアップの工程ごとにワックスを盛り付ける部分の位置を示す映像を投影するものである。本実施形態において、プロジェクター３は、キヤノン社製ミニプロジェクター（Ｃ５（ＷＢ１００））が用いられているが、これに限られないことは勿論である。プロジェクター３は、模型歯２の頂面５に、ワックスを盛り付ける部分の位置を示す映像を、ワックスアップの工程ごとに投影する。かかる映像は、ワックスアップの工程ごとにワックスを盛り付ける部分の位置が異なっており、図１（ａ）〜図１（ｄ）に示す投影用模型６ａ、６ｂ、６ｃ、６ｄを写真撮影することで得られる。
【００２４】
図１（ａ）の投影用模型６ａの歯には、咬頭頂７がマーキングされている。咬頭頂７は、歯の高い部分である。図１（ｂ）の投影用模型６ｂの歯には、辺縁隆線８がマーキングされている。辺縁隆線８は、咬頭頂７を連ねた隆起線である。図１（ｃ）の投影用模型６ｃの歯には、隆線９がマーキングされている。隆線９は、咬頭頂７から歯の外側および内側に向かう隆起線である。図１（ｄ）の投影用模型６ｄの歯には、副隆線１０がマーキング（ドットで示す）されている。副隆線１０は、隆線９に隣接する隆起線である。図１（ａ）〜図１（ｄ）の投影用模型６ａ〜６ｄは、カメラ（図示せず）によって上方から写真撮影され、それらの画像データが図３に示すプロジェクター３に投影用の映像として取り込まれる。
【００２５】
プロジェクター３は、模型歯２にワックスを盛り付ける最初の工程（第１工程）のとき、図１（ａ）の画像データである、咬頭頂７の位置を示す映像を模型歯２に投影し、続くワックスアップの第２工程のとき、図１（ｂ）の画像データである、辺縁隆線８の位置を示す映像を模型歯２に投影し、続く第３工程のとき、図１（ｃ）の画像データである、隆線９の位置を示す映像を模型歯２に投影し、続く第４工程のとき、図１（ｄ）の画像データである、副隆線１０の位置を示す映像を模型歯２に投影する。なお、プロジェクターから模型歯２に投影される映像は、このような４つの工程に限定されるものではなく、２工程や３工程でもよく、５工程以上としてもよい。
【００２６】
図１（ａ）〜図１（ｄ）の投影用模型６ａ〜６ｄは、全ての歯が規範的な立体形状となっており、上述したように、各図ごとに異なった部分（ワックスアップする部分）が夫々マーキングされている。図１（ａ）〜図１（ｄ）の各投影用模型６ａ〜６ｄに施されたマーキングの色は、夫々異なっていることが好ましい。図３に示すように、プロジェクター３から模型歯２に映像を投影したとき、前工程の映像のマーキングの色と区別するためである。図１（ａ）〜図１（ｄ）に示す投影用模型６ａ〜６ｄの形状は、全て同一であり、図２に示す模型歯２の形状と比較すると、ワックスアップする歯の頂面５がフラットな点を除き同一である。
【００２７】
（リファレンスポイント１２）
図１（ａ）〜図１（ｄ）の各投影用模型６ａ〜６ｄには、Ｕ字状の歯列の内方の基底面１１に位置して、リファレンスポイント１２が同一の位置にマーキングされている。リファレンスポイント１２は、図１（ａ）〜図１（ｄ）の各投影用模型６ａ〜６ｄの映像を、図３および図４に示すプロジェクター３によって、各工程の順で模型歯２に投影したとき、映像のずれを防止する基準となるものである。なお、リファレンスポイント１２は、１点ではその点廻りに映像が回転し得るため不可であるが、２点以上であればよく、４点に限られない。
【００２８】
（ワックスアップ習得方法の概要）
上述したワックスアップ習得システム１を用いたワックスアップ習得方法を述べる。本方法の概要は、ワックスアップの基台となる模型歯２に、ワックスを複数の工程に分けて盛り付け、歯冠形態を成形するワックスアップの習得方法であって、図３に示すように、模型歯２の上方に配置されたプロジェクター３から、模型歯２に、各工程ごとにワックスを盛り付ける部分の位置を示す映像を投影し、投影された映像に基づいて模型歯２にワックスを工程ごとに盛り付けるようにしたものである。以下、このワックスアップ習得方法の各工程について述べる。
【００２９】
（プロジェクター３のセット）
先ず、図３に示すように、模型歯２の上方にプロジェクター３をスタンド１３等でセットする。プロジェクター３と模型歯２との相対位置は、図１（ａ）〜図１（ｄ）の投影用模型６ａ〜６ｄを上方からカメラで写真撮影したときのカメラと投影用模型６ａ〜６ｄとの相対位置に、合致されている。本実施形態においては、図４に示すように、プロジェクター３は、その投光ライン１５が模型歯２の基底面１４に対して垂直となるように、スタンド１３等で姿勢が保持されている。
【００３０】
（第１工程：咬頭頂７のワックスアップ）
図４に示すように、模型歯２の上方に配置されたプロジェクター３から模型歯２に、図１（ａ）の画像データである咬頭頂７の位置を示す映像を投影する。ここで、咬頭頂７の位置を示す映像の投影面となる模型歯２の頂面５は、フラットな形状であるため、そこに投影された映像（咬頭頂７の位置を示す映像）が投影面の凹凸に起因して歪むことはない。また、プロジェクター３の投光ライン１５は、模型歯２の基底面１４に対して垂直であり、この基底面１４と模型歯２の各頂面５とは平行であるため、各頂面５に歪みの少ない映像を投影できる。また、各歯の頂面５の高さは側方から見て揃っているため、各頂面５にて映像のピントを合わせ易い。
【００３１】
図４に示すように、ワックスアップに先立って、実習者は、先ず、模型歯２の頂面５に投影された咬頭頂７の位置を筆記具（カラーペン１６）で頂面５にマーキングして印記する。これにより、実習者は、咬頭頂７の位置を学習できる。マーキングの後は、模型歯２をプロジェクター３の下方の投影範囲から移動させても、ワックスを盛り付ける咬頭頂７の位置を把握できる。図４において、左歯列４Ｌにマーキング前の映像状態の咬頭頂７を示し、右歯列４Ｒにマーキング後の印記された咬頭頂７を示す。
【００３２】
また、実習者は、図４に示すように、プロジェクター３から模型歯２の基底面１４に投影されたリファレンスポイント１２を、カラーペン１６でマーキングし、模型歯２に基準ポイント１７を印記する。基準ポイント１７は、以降の工程で模型歯２に投影される映像のズレ（誤差）を防止するための基準となる。図４において、基準面１４に表示された左側の２点はマーキング前の映像状態のリファレンスポイント１２を示し、右側の２点はマーキング後の印記されたリファレンスポイント（基準ポイント１７）を示す。
【００３３】
その後、図５（ａ）に示すように、実習者は、模型歯２の頂面５の咬頭頂７の位置（カラーペン１６で印記された位置）に、専用工具１８でワックスを盛り付けてワックスアップを行う。ワックスアップは、プロジェクター３から模型歯２に映像を投影しながら行ってもよく、模型歯２をプロジェクター３の下方の投影範囲から移動させて行ってもよい。図５（ａ）において、左歯列４Ｌにワックスアップ前の印記状態の咬頭頂７を示し、右歯列４Ｒにワックスアップ後のワックスが盛り上げられた咬頭頂７を示す。
【００３４】
（第２工程：辺縁隆線８のワックスアップ）
全ての咬頭頂７のワックスアップが完了した後、プロジェクター３から模型歯２に投影する映像を、図１（ｂ）の画像データである辺縁隆線８の位置を示す映像に切り換える。この映像には、リファレンスポイント１２も含まれており、プロジェクター３から模型歯２に投影されるリファレンスポイント１２の映像を、前の工程で模型歯２に印記しておいた基準ポイント１７に合わせることで、本工程の映像と前工程の映像のズレ（誤差）を防止する。
【００３５】
図５（ｂ）の左歯列４Ｌに示すように、模型歯２の頂面５に投影された辺縁隆線８の位置をカラーペン１６で頂面５にマーキングして印記する。これにより、実習者は、辺縁隆線８の位置を学習できる。マーキングの後は、模型歯２をプロジェクター３の下方の投影範囲から移動させても、ワックスを盛り付ける辺縁隆線８の位置を把握できる。
【００３６】
図５（ｂ）の右歯列４Ｒに示すように、実習者は、模型歯２の頂面５の辺縁隆線８の位置に、専用工具１８でワックスアップを行う。ワックスアップは、プロジェクター３から模型歯２に映像を投影しながら行ってもよく、模型歯２をプロジェクターの下方から移動させて行ってもよい。図５（ｂ）において、左歯列４Ｌにワックスアップ前の印記状態の辺縁隆線８を示し、右歯列４Ｒにワックスアップ後のワックスが盛り上げられた辺縁隆線８を示す。
【００３７】
（第３工程：隆線９のワックスアップ）
全ての辺縁隆線８のワックスアップが完了した後、プロジェクター３から模型歯２に投影する映像を、図１（ｃ）の画像データである隆線９の位置を示す映像に切り換える。この映像には、リファレンスポイント１２も含まれており、プロジェクター３から模型歯２に投影されるリファレンスポイント１２の映像を、模型歯２に第１工程で印記しておいた基準ポイント１７に合わせることで、本工程の映像と前工程の映像のズレ（誤差）を防止する。
【００３８】
図６（ｃ）の左歯列４Ｌに示すように、模型歯２の頂面５に投影された隆線９の位置をカラーペン１６で頂面にマーキングして印記する。これにより、実習者は、隆線９の位置を学習できる。マーキングの後は、模型歯２をプロジェクター３の下方から移動させても、ワックスを盛り付ける隆線９の位置を把握できる。
【００３９】
図６（ｃ）の右歯列４Ｒに示すように、実習者は、模型歯２の頂面５の隆線９の位置に、専用工具１８でワックスアップを行う。ワックスアップは、プロジェクター３から模型歯２に映像を投影しながら行ってもよく、模型歯２をプロジェクター３の下方から移動させて行ってもよい。図６（ｃ）において、左歯列４Ｌにワックスアップ前の印記状態の隆線９を細線で示し、右歯列にワックスアップ後のワックスが盛り上げられた隆線９を太線で示す。
【００４０】
（第４工程：副隆線１０のワックスアップ）
全ての隆線９のワックスアップが完了した後、プロジェクター３から模型歯２に投影する映像を、図１（ｄ）の画像データである副隆線１０の位置を示す映像に切り換える。この映像には、リファレンスポイント１２も含まれており、プロジェクター３から模型歯２に投影されるリファレンスポイント１２の映像を、模型歯２に第１工程で印記しておいた基準ポイント１７に合わせることで、本工程の映像と前工程の映像のズレ（誤差）を防止する。
【００４１】
図６（ｄ）の左歯列４Ｌに示すように、模型歯２の頂面５に投影された副隆線１０（薄いドット）の位置をカラーペン１６で頂面５にマーキングして印記する。これにより、実習者は、副隆線１０の位置を学習できる。マーキングの後は、模型歯２をプロジェクター３の下方から移動させても、ワックスを盛り付ける副隆線１０の位置を把握できる。
【００４２】
図６（ｄ）の右歯列４Ｒに示すように、実習者は、模型歯２の頂面５の副隆線１０の位置に、専用工具１８でワックスアップを行う。ワックスアップ後の副隆線１０を濃いドットで表す。ワックスアップは、プロジェクター３から模型歯２に映像を投影しながら行ってもよく、模型歯２をプロジェクター３の下方から移動させて行ってもよい。図６（ｄ）において、左歯列４Ｌにワックスアップ前の印記状態の副隆線（薄いドット）１０を示し、右歯列４Ｒにワックスアップ後のワックスが盛り上げられた副隆線（濃いドット）１０で示す。
【００４３】
（作用・効果）
以上説明したように、本実施形態に係るワックスアップ習得方法および習得システムによれば、模型歯２にワックスを複数の工程に分けて段階的に盛り付けるに際して、模型歯２の上方に配置されたプロジェクター３から模型歯２に、各工程ごとに、ワックスを盛り付ける部分の位置を示す映像を投影し、模型歯２にワックスアップすべき部分をプロジェクションマッピングしたので、模型歯２の正しい部分に正しい順番で適切にワックスを盛り付けることができ、規範的な歯冠形態を得るためのワックスアップの術式を早期に習得できる。
【００４４】
ワックスが盛り付けられる模型歯２の頂面５をフラットに形成し、その頂面５にプロジェクター３から映像を投影するようにしている。投影面である模型歯２の頂面５がフラットな形状であるため、そこに投影された映像が投影面の凹凸に起因して歪むことはない。よって、歪みのない映像に基づいて、的確なワックスアップが可能となる。
【００４５】
模型歯２にワックスを盛り付ける最初の工程（第１工程）のとき、模型歯２の頂面５に、咬頭頂７の位置を示す映像を投影するようにしている。咬頭頂７の位置は、歯冠形態を定める上で最も重要なポイントである。よって、最初の工程で、咬頭頂７の部分をワックスアップすることで、以降の工程で規範的な歯冠形態に成形し易くなり、適切なワックスアップが可能となる。
【００４６】
模型歯５にワックスを複数の段階に分けて盛り付ける各工程の夫々にて、プロジェクター３から模型歯２に、ワックスを盛り付ける部分の位置を示す映像と共にリファレンスポイント１２の映像を投影し、最初の工程にて、模型歯２に投影されたリファレンスポイント１２の映像の位置をマーキングすることで模型歯２に基準ポイント１７を印記し、以降の各工程にて、プロジェクター３から模型歯２に投影されるリファレンスポイント１２の映像を基準ポイント１７に合わせるようにしている。これにより、各工程における映像のズレ（誤差）を防止でき、正確なワックスアップが可能となる。
【００４７】
（変形例）
模型歯２にワックスを複数の段階に分けて盛り付ける各工程の夫々にて、ワックスの色を異ならせるようにしてもよい。これにより、実習者は、前回のワックスアップ部分と今回のワックスアップ部分とを区別でき、各工程ごとにワックスアップする部分の位置を的確に学習できる。
【００４８】
図１（ａ）〜図１（ｄ）の各投影用模型６ａ〜６ｄのワックスアップすべき部分に施されるマーキングの色を各模型ごとに異ならせ、そのマーキングの色と各工程でワックスアップに用いるワックスの色とを合わせてもよい。これにより、実習者は、現在どの工程のワックスアップを行っているか確実に把握でき、ワックスアップの順番（術式）を的確に学習できる。
【産業上の利用可能性】
【００４９】
本発明は、基台となる模型歯にワックスを盛り付けて歯冠形態を形成するワックスアップの習得方法および習得システムに利用できる。
【符号の説明】
【００５０】
１  ワックスアップ習得システム
２  模型歯
３  プロジェクター
５  頂面
７  咬頭頂
１２  リファレンスポイント
１７  基準ポイント
【図１】
2017148245.tif 000003
【図２】
2017148245.tif 000004
【図３】
2017148245.tif 000005
【図４】
2017148245.tif 000006
【図５】
2017148245.tif 000007
【図６】
2017148245.tif 000008